(57)【要約】  【課題】空気循環の風路を確保して温度を均一に安定させる保冷や保温だけでなく、急冷却や急加熱ができる熱電変換デバイスを利用した冷温庫を提供する。  【解決手段】二つの伝熱面１ａ、１ｂを持つ熱電変換デバイス１と、伝熱面１ａに熱的に接続された第１の熱交換器２と、伝熱面１ｂに熱的に接続された第２の熱交換器４と、内部に貯蔵空間６を持つ断熱箱体５と、第１の交換器２に空気を送風させる第１の送風手段７と、前記第２の熱交換器４に空気を循環させる第２の送風手段８とを備え、熱交換された空気を貯蔵空間６に案内する吐出口９と、貯蔵空間６の空気を第２の熱交換器４に案内する吸い込み口１０を設け、吸い込み口１０を吐出口９と対向面に配置したものであり、冷却空気が貯蔵空間６内に強制対流によって均等に流れるので収納された物品を均一な温度で安定させることができる。【選択図】図１
2006105508.tif 000002
【特許請求の範囲】
【請求項１】
二つの伝熱面を持ち一方が吸熱面としてまた他方が発熱面として働く熱電変換デバイスと、前記伝熱面の一方に熱的に接続された第１の熱交換器と、前記伝熱面の他方に熱的に接続された第２の熱交換器と、内箱と外箱と前記内箱と前記外箱の間に充填した断熱材とからなり、かつ一面に開口部を有して内部を貯蔵空間とした断熱箱体と、前記第１の熱交換器に空気を送風する第１の送風手段と、前記第２の熱交換器に空気を循環させる第２の送風手段とから構成され、前記第２の送風手段により熱交換された空気を前記貯蔵空間に案内する吐出口と、前記貯蔵空間の空気を前記第２の熱交換器に案内する吸い込み口を設け、前記吸い込み口を前記吐出口と異なった面に配置した冷温庫。
【請求項２】
前記吸い込み口を、前記吐出口と対向した面に配置した請求項１に記載の冷温庫。
【請求項３】
前記吸い込み口を、前記吐出口と隣接する面に配置した請求項１に記載の冷温庫。
【請求項４】
前記吸い込み口と前記吐出口の少なくともいずれか一方を、前記貯蔵空間を形成している面より凹面形状を形成する部位に配置した請求項１から３のいずれか一項に記載の冷温庫。
【請求項５】
前記吸い込み口と前記吐出口の少なくともいずれか一方の周囲に、凸形状の突起を設けた請求項１から４のいずれか一項に記載の冷温庫。
【請求項６】
二つの伝熱面を持ち一方が吸熱面としてまた他方が発熱面として働く熱電変換デバイスと、前記伝熱面の一方に熱的に接続された第１の熱交換器と、前記伝熱面の他方に熱的に接続された第２の熱交換器と、内箱と外箱と前記内箱と前記外箱の間に充填した断熱材とからなり、かつ一面に開口部を有して内部を貯蔵空間とした断熱箱体と、前記第１の熱交換器に空気を送風する第１の送風手段と、前記第２の熱交換器に空気を循環させる第２の送風手段とから構成され、前記第２の送風手段により熱交換された空気を前記貯蔵空間に案内する吐出口と、前記貯蔵空間の空気を前記第２の熱交換器に案内する吸い込み口を設け、前記吸い込み口と前記吐出口とを同一面に配置し、前記吐出口を前記吸い込み口より上方に配置した冷温庫。
【請求項７】
前記吸い込み口と前記吐出口の少なくともいずれか一方を、前記貯蔵空間を形成している面より凹面形状を形成する部位に配置した請求項６に記載の冷温庫。
【請求項８】
前記吸い込み口と前記吐出口の少なくともいずれか一方の周囲に、凸形状の突起を設けた請求項６に記載の冷温庫。
【請求項９】
前記断熱箱体の少なくとも一部に真空断熱材を使用した請求項１から８のいずれか一項に記載の冷温庫。
【請求項１０】
急冷却または急加熱運転モードと、保冷または保温運転モードを持ち、急冷却または急加熱運転モードでは、前記第１及び第２の送風装置により前記保冷または保温運転モード時より風量を大きく制御する制御装置を設けた請求項１から９のいずれか一項に記載の冷温庫。
【発明の詳細な説明】
【技術分野】
【０００１】
本発明は、飲食物や薬品等の物品を収納する冷温庫に関するもので、特に設置制約の厳しい車両等に備えて使用される冷温庫に関するものである。
【背景技術】
【０００２】
従来、この種の冷温庫としては、熱伝導性に優れた材料で構成された庫内容器を熱電変換素子で冷却または加熱するものが一般的である（例えば、特許文献１参照）。
【０００３】
図４は、特許文献１に記載された従来の冷温庫の断面図である。図４に示すように、従来の冷温庫は、開口部を有した本体ケース２１と、本体ケース２１の内部に配設され、開口部を有した熱伝導容器２２と、前記本体ケース２１と熱伝導容器２２の間に充填された断熱材２３と、前記本体ケース２１の開口部を開閉し、内部に断熱材２３を充填した蓋部材２４と、熱電変換デバイス２５と、フィン２６とからなり、熱伝導容器２２を冷却または加熱する熱交換器２７と、前記フィン２６に気流を送風するファン２８と、弾性部材２９を介して蓋部材２４に設けられた熱伝導容器２２と熱的に結合し得る熱伝導部材３０とからなり、前記熱交換器２７により冷却または加熱される熱が熱伝導容器２２だけでなく熱伝導部材３０にも伝わることで、熱伝導容器２２の内部空間を効率良く冷却または加熱することができる構成としている。
【特許文献１】特開平８−１００９７５号公報
【発明の開示】
【発明が解決しようとする課題】
【０００４】
しかしながら、上記従来の構成では、前記熱伝導容器２２に収納した物品への熱交換は、前記熱伝導容器２２と接した一部分からの熱伝導と熱伝導容器２２内部の空気の自然対流熱伝達によるものであり、十分な熱交換効率が得られないとともに、収納した物品を均一な温度に安定させることが困難である。
【０００５】
さらに、例えば高温の物品を収納し冷却する場合には、高温の物品によって熱伝導容器２２内部の空気は一旦温められるので、物品と熱伝導容器２２内部の空気との温度差は小さくなり、十分な熱交換量が得られない。このようなことから、上記従来の構成では、急冷却や急加熱ができないという課題を有していた。
【０００６】
本発明は従来の課題を解決するもので、空気循環の風路を確保して温度を均一に安定させる保冷や保温だけでなく、急冷却や急加熱ができる熱電変換デバイスを利用した冷温庫を提供することを目的とする。
【課題を解決するための手段】
【０００７】
上記従来の課題を解決するために、本発明の冷温庫は、二つの伝熱面を持ち一方が吸熱面としてまた他方が発熱面として働く熱電変換デバイスと、前記伝熱面の一方に熱的に接続された第１の熱交換器と、前記伝熱面の他方に熱的に接続された第２の熱交換器と、内箱と外箱と前記内箱と前記外箱の間に充填した発泡断熱材とからなる開口部を有し内部に貯蔵空間を持つ断熱箱体と、前記第１の熱交換器に空気を送風させる第１の送風手段と、前記第２の熱交換器に空気を循環させる第２の送風手段とから構成され、前記第２の送風手段により熱交換された空気を前記貯蔵空間に案内する吐出口と、前記貯蔵空間の空気を前記第２の熱交換器に案内する吸い込み口を設け、前記吸い込み口を前記吐出口と異なった面に配置したものである。
【０００８】
これによって、冷却または加熱された空気が強制対流によって貯蔵空間内の全体にわたって均等に流れるため、安定した温度を維持することができる。
【０００９】
また本発明の冷温庫は、急冷却または急加熱運転モードと、通常のモードである保冷または保温運転モードを持ち、急冷却または急加熱運転モードでは前記第１及び第２の送風装置により風量を通常時より大きく設定したもので、これによって、急冷却または急加熱運転モードでは、前記貯蔵空間に置かれた物品と貯蔵室内の空気との間の温度差と熱伝達率を大きくし、熱交換効率を高めることができる。また、保冷または保温運転モードでは、風量を小さくすることで、第２の熱交換器前後での空気の温度変化を大きくして空気を低温または高温にすることができる。
【００１０】
従って、急冷却または急加熱運転モードでは、熱交換された貯蔵空間内の空気の温度近傍までの急冷却または急加熱を促進することができ、また保冷または保温運転モードでは、保冷温度を低くまたは保温温度を高くすることができる。
【発明の効果】
【００１１】
本発明の冷温庫は、冷却または加熱された空気が貯蔵空間内に送風装置による強制対流によって均等に流れ、収納空間に物品が一杯の状態でも空気の流れを確保するように空気の経路を設けているので、安定した温度を維持することができる。
【００１２】
また本発明の冷温庫は、送風装置を制御し、風量を増減させるモードを備えることで急冷却または急加熱を促進することができ、また保冷温度を低くまたは保温温度を高くすることができる。
【発明を実施するための最良の形態】
【００１３】
請求項１に記載の発明は、二つの伝熱面を持ち一方が吸熱面としてまた他方が発熱面として働く熱電変換デバイスと、前記伝熱面の一方に熱的に接続された第１の熱交換器と、前記伝熱面の他方に熱的に接続された第２の熱交換器と、内箱と外箱と前記内箱と前記外箱の間に充填した断熱材とからなる開口部を有し、内部に貯蔵空間を持つ断熱箱体と、前記第１の熱交換器に空気を送風させる第１の送風手段と、前記第２の熱交換器に空気を循環させる第２の送風手段とから構成され、前記第２の送風手段により熱交換された空気を前記貯蔵空間に案内する吐出口と、前記貯蔵空間の空気を前記第２の熱交換器に案内する吸い込み口を設け、前記吸い込み口を前記吐出口と異なった面に配置したものであり、冷却または加熱された空気が、貯蔵空間内に強制対流によって均等に流れるので安定した温度を維持することができる。
【００１４】
請求項２に記載の発明は、前記吸い込み口を、前記吐出口と対向した面に配置したものであり、前記収納空間に物品が一杯の状態でも空気の流れを確保できるので、安定した温度を維持することができる。
【００１５】
請求項３に記載の発明は、前記吸い込み口を、前記吐出口と隣接する面に配置したものであり、収納空間に物品が一杯の状態でも同様に空気の流れを確保できるので、安定した温度を維持することができる。
【００１６】
請求項４に記載の発明は、前記吸い込み口と前記吐出口の少なくともいずれか一方を、前記貯蔵空間を形成している面より凹面形状を形成する部位に配置したものであり、収納空間に物品が一杯の状態でも吸い込み口または吐出口が塞がれることがないので、空気の流れを確保し、安定した温度を維持することができる。
【００１７】
請求項５に記載の発明は、前記吸い込み口と前記吐出口の少なくともいずれか一方の周囲に、凸形状の突起を設けたものであり、収納空間に物品が一杯の状態でも同様に吸い込み口または吐出口が塞がれることがないので、空気の流れを確保し安定した温度を維持することができる。
【００１８】
請求項６に記載の発明は、二つの伝熱面を持ち一方が吸熱面としてまた他方が発熱面として働く熱電変換デバイスと、前記伝熱面の一方に熱的に接続された第１の熱交換器と、前記伝熱面の他方に熱的に接続された第２の熱交換器と、内箱と外箱と前記内箱と前記外箱の間に充填した発泡断熱材とからなる開口部を有し内部に貯蔵空間を持つ断熱箱体と、前記第１の熱交換器に空気を送風させる第１の送風手段と、前記第２の熱交換器に空気を循環させる第２の送風手段とから構成され、前記第２の送風手段により熱交換された空気を前記貯蔵空間に案内する吐出口と、前記貯蔵空間の空気を前記第２の熱交換器に案内する吸い込み口を設け、前記吸い込み口と前記吐出口とを同一面に配置し、前記吐出口を前記吸い込み口より上側に設けたものである。
【００１９】
かかる構成とすることにより、冷却または加熱された空気が貯蔵空間内に強制対流によって均等に流れるので安定した温度を維持することができる。
【００２０】
請求項７に記載の発明は、前記吸い込み口と前記吐出口の少なくともいずれか一方を、前記貯蔵空間を形成している面より凹面形状を形成する部位に配置したものであり、収納空間に物品が一杯の状態でも吸い込み口または吐出口が塞がれることがないので、空気の流れを確保し安定した温度を維持することができる。
【００２１】
請求項８に記載の発明は、前記吸い込み口と前記吐出口の少なくともいずれか一方の周囲に、凸形状の突起を設けたものであり、収納空間に物品が一杯の状態でも同様に吸い込み口または吐出口が塞がれることがないので、空気の流れを確保し安定した温度を維持することができる。
【００２２】
請求項９に記載の発明は、前記断熱箱体の少なくとも一部に真空断熱材を使用したものであり、外部から貯蔵空間への熱侵入量または熱放出量を減らすことができので、保冷及び保温できる温度範囲を拡大することができる。
【００２３】
請求項１０に記載の発明は、急冷却または急加熱運転モードと、保冷または保温運転モードを持ち、急冷却または急加熱運転モードでは前記第１及び第２の送風装置により風量を大きく、また保冷または保温運転モードでは前記第１及び第２の送風装置により風量を小さくする制御装置を設けたものである。
【００２４】
したがって、前記制御装置により急冷却または急加熱運転モードとした場合は、風量を大きくすることで、前記貯蔵空間に置かれた物品と貯蔵空間内の空気との間の温度差と熱伝達率を大きくし、熱交換効率を高めることができる。また、保冷または保温運転モードでは、風量を小さくすることで、第２の熱交換器前後での空気の温度変化を大きくして空気を低温または高温にすることができる。従って、急冷却または急加熱運転モードでは、熱交換された貯蔵空間内の空気の温度近傍までの急冷却または急加熱を促進することができ、また保冷または保温運転モードでは、保冷温度を低くまたは保温温度を高くすることができる。
【００２５】
以下、本発明の実施の形態について、図面を参照しながら説明する。なお、この実施の形態によってこの発明が限定されるものではない。
【００２６】
（実施の形態１）
図１は、本発明の実施の形態１における冷温庫の断面図である。
【００２７】
同図において、熱電変換デバイス１は、二つの伝熱面１ａと１ｂを持ち、一方が吸熱面としてまた他方が発熱面として働く。この熱電変換デバイス１の具体例としては、ペルチェ効果素子、トンネル効果素子、スターリング冷凍機などが考えられる。第１の熱交換器２は、前記伝熱面１ａに熱的に接続され、第１の送風手段７により周囲空気と熱交換される。第２の熱交換器４は、前記伝熱面１ｂに熱伝導ブロック３を介して熱的に接続され、第２の送風装置８により貯蔵空間６内を循環する空気と熱交換されるとともに、前記貯蔵空間６内の空気を案内する循環風路１４内に設けられている。断熱箱体５は、内部に貯蔵空間６を持ち、上部に開口部を有するとともに、貯蔵空間６に物品を出し入れする開閉蓋１１が設けられている。また断熱箱体５は、内箱５ａと外箱５ｂで構成され、内部には例えば発泡断熱材５ｃが充填されている。また、開閉蓋１１も同様に、内部には発泡断熱材５ｃが充填されている。前記貯蔵空間６には物品が収納され、前記第２の送風装置８により、貯蔵空間６内を循環した空気は、前記第２の熱交換器４と熱交換され、吐出口９を通じて貯蔵空間６に導入される。前記吐出口９から貯蔵空間６に導入された冷却空気は、貯蔵空間６に収納されている物品を冷却した後、吐出口９と対向面に設けた吸い込み口１０へと吸入される。
【００２８】
以上のように構成された冷温庫について、以下、冷却（冷蔵庫として）の場合を例にとり、その動作、作用を説明する。
【００２９】
まず、熱電変換デバイス１に電流を流すことで、伝熱面１ｂが吸熱面として、また伝熱面１ａが発熱面として働く。そして第１の熱交換器２は、伝熱面１ａと接続されているために放熱器として働き、第１の送風装置７により送風される空気と熱交換し廃熱する。また第２の熱交換器４は、熱伝導ブロック３を介して伝熱面１ｂと接続されているために冷却器として働き、第２の送風装置８により貯蔵空間６内に形成した循環風路１４を流れる空気と熱交換し、さらに冷却する。前記第２の熱交換器４によってさらに冷却された空気は、吐出口９を通じて貯蔵空間６に導入される。前記吐出口９から貯蔵空間６に導入された冷却空気は、貯蔵空間６に収納されている物品を冷却した後、吐出口９と対向面に設けた吸い込み口１０へと吸入される。断熱箱体５は発泡断熱材５ｃで一体的に構成されているので外部からの熱侵入量は比較的小さく、吐出口９から貯蔵空間６に導入された冷却空気の冷熱は、ほぼ貯蔵空間６に収納された物品の冷却に使用され、さらに吐出口９と吸い込み口１０とが対向面に設けられているので、収納された物品が障害となっても空気が滞留しにくい。すなわち、図１中の矢印の方向に空気が流れやすくなるものである。
【００３０】
また、吐出口９または吸い込み口１０を設けた面で、適宜突起もしくは凸条を設け、吐出口９または吸い込み口１０の形状部位またはその周辺部に適宜個所で繋がった複数の凹面１２を設けることにより、貯蔵空間６内に物品が詰め込まれた状態（図１中の二点鎖線より内側が実際の収納スペースとなる）でも吐出口９または吸い込み口１０が完全に塞がれることはないので不冷現象が起こりにくい。
【００３１】
また、急冷却運転モードと、保冷運転モードを設けてあり、操作部急冷却運転モードでは第１送風装置７または第２の送風装置８により風量を大きく、また保冷運転モードでは第１送風装置７または第２の送風装置８により風量を小さくするように制御する。急冷却運転モードでは、風量を大きくすることで貯蔵空間６に置かれた物品と貯蔵空間６内の空気との間の温度差と熱伝達率を大きくし熱交換効率を高めることができる。また、保冷運転モードでは、風量を小さくすることで、第２の熱交換器４前後での空気の温度変化を大きくして空気を低温にすることができる。これらの制御は、本体（断熱箱５）に設けられた操作スイッチを含む制御部１６にて行われる。
【００３２】
以上のように、本実施の形態においては、二つの伝熱面１ａ、１ｂを持ち一方が吸熱面としてまた他方が発熱面として働く熱電変換デバイス１と、伝熱面１ａに熱的に接続された第１の熱交換器２と、伝熱面１ｂに熱的に接続された第２の熱交換器４と、内箱５ａと外箱５ｂと内箱５ａと外箱５ｂの間に充填した発泡断熱材５ｃとからなる開口部を有し、内部に貯蔵空間６を持つ断熱箱体５と、第１の交換器２に空気を送風させる第１の送風手段７と、前記第２の熱交換器４に空気を循環させる第２の送風手段８とから構成され、第２の送風手段８により熱交換された空気を貯蔵空間６に案内する吐出口９と、貯蔵空間６の空気を第２の熱交換器４に案内する吸い込み口１０を設け、吸い込み口１０を吐出口９と対向面に配置したもので、収納空間６に物品が一杯の状態でも空気の流れを確保でき、冷却空気が貯蔵空間６内に強制対流によって均等に流れるので、収納された物品が障害となっても空気が滞留しにくく、収納された物品を均一な温度で安定させることができる。
【００３３】
また、本実施の形態においては、吸い込み口１０と吐出口９を設けた貯蔵空間６を形成する面より凹面１２を形成したものであり、収納空間に物品が一杯の状態でも吸い込み口１０または吐出口９が塞がれることがないので空気の流れを確保し安定した温度を維持できるとともに、不冷現象が起こりにくい。
【００３４】
また、本実施の形態においては、急冷却運転モードと、保冷運転モードを設けてあり、急冷却運転モードでは、第１送風装置７または第２の送風装置８により風量を大きくすることで貯蔵空間６に置かれた物品と貯蔵空間６内の空気との間の温度差と熱伝達率を大きくし、熱交換効率を高めることができる。また保冷運転モードでは、第１送風装置７または第２の送風装置８により風量を小さくすることで、第２の熱交換器４前後での空気の温度変化を大きくして空気を低温にすることができる。従って、急冷却運転モードでは、熱交換された貯蔵空間６内の空気の温度近傍までの急冷却を促進することができ、また保冷運転モードでは、保冷温度を低くすることができる。
【００３５】
ここで、本実施の形態においては、断熱箱体５の内部に発泡断熱材５ｃを充填したもので説明してきたが、断熱箱体５の少なくとも一部に真空断熱材１５を使用することで、外部から貯蔵空間６への熱侵入量または熱放出量を減らすことができ、その結果、保冷できる温度範囲を拡大することができる。
【００３６】
また、本実施の形態においては、吐出口９または吸い込み口１０の部位またはその周辺部を凹面１２としたもので説明してきたが、代わりに凸形状の突起１３を吐出口９または吸い込み口１０の部位またはその周辺部に設けることにより、風路を完全に塞がれることがなくなるので、同じ効果が得られることになる。
【００３７】
また、本実施の形態においては、単に第１の熱交換器２は第１の送風手段７により送風された周囲空気と熱交換されると説明してきたが、空調設備を備えた空間、例えば車中等において、予め空調設備で冷やされた空気と第１の熱交換器２を熱交換することにより、冷却効率を向上させることができる。したがって、熱電変換デバイス１への入力を同じにした場合は、貯蔵空間６内の温度をさらに低くすることができる。また、貯蔵空間６内の温度を同じにした場合は、熱電変換デバイス１への入力を低くできるので、消費電力が低減できる。
【００３８】
（実施の形態２）
図２は、本発明の実施の形態２における冷温庫の断面図を示すものである。
【００３９】
先の実施の形態１では、吐出口９から貯蔵空間６に導入された冷却空気が、貯蔵空間６に収納されている物品を冷却した後、吐出口９と対向面に設けた吸い込み口１０へ吸入される構成としたが、図２に示す構成は、吐出口９と隣接した面、すなわち底面に吸い込み口１０を設けた構成である。なお、先の実施の形態と同一の構成要件については、同一番号を付して説明を省略する。
【００４０】
このように、底面に吸い込み口１０を設けた構成においても、空気の流れを確保でき、冷却空気が貯蔵空間６内に強制対流によって均等に流れるので、収納された物品が障害となって空気が滞留することが抑制でき、収納された物品を均一な温度で安定させることができる等、同様の効果が得られる。
【００４１】
また、空気循環経路１４を確保するために凹部１２、または凸形状突起１３を形成したが、簀子縁を設置することも可能であり、また同様の効果が得られる。
【００４２】
なお、本実施の形態においても、先の実施の形態と同様に、急冷却運転モードと、保冷運転モードを備えているもので、その説明は省略する。
【００４３】
（実施の形態３）
図３は、本発明の実施の形態３における冷温庫の断面図を示すものである。
【００４４】
本実施の形態３において、実施の形態１と同一の構成部材についてはその詳細な説明は省略する。
【００４５】
図３に記載の冷温庫は、吐出口９から貯蔵空間６に導入された冷却空気が、吐出口９と同一面に配置された吸い込み口１０から吸い込まれる風の流れを形成する構成のもので、前記吐出口９は、前記吸い込み口１０より鉛直方向上側に設けられている。
【００４６】
本実施の形態３においても、空気の流れが確保でき、冷却空気が貯蔵空間６内に強制対流によって均等に流れるので、収納された物品が障害となっても空気が滞留しにくく、収納された物品を均一な温度で安定させることができ、同様の効果が得られる。
【００４７】
さらに、設置制約が厳しい、例えば車載用の場合は、外形寸法の制約が特に要求されるが、収納容積も重要である。本実施の形態３では、循環風路１４をコンパクトにすることにより、同じ外形寸法に対しても収納容積を確保できるとともに、構成部品を簡易化できるため、コスト低減となる。
【００４８】
なお、本実施の形態においても、先の実施の形態と同様に、急冷却運転モードと、保冷運転モードを備えているもので、その説明は省略する。
【００４９】
上記各実施の形態においては、急冷却や保冷運転を例にその動作や作用を説明したが、熱電変換デバイス１の伝熱面１ａを発熱面として、また伝熱面１ｂを吸熱面としてそれぞれ働かせることで、急加熱や保温運転においても同様の優れた効果が得られる。
【産業上の利用可能性】
【００５０】
以上のように、本発明にかかる冷温庫は、急冷運転や急加熱運転が可能となるので、保温、保冷が伴う部品を保存する製造装置や、微生物の培養等を行う理化学機器等の用途にも適用できる。
【図面の簡単な説明】
【００５１】
【図１】本発明の実施の形態１における冷温庫の断面図
【図２】本発明の実施の形態２における冷温庫の断面図
【図３】本発明の実施の形態３における冷温庫の断面図
【図４】従来の冷温庫の断面図
【符号の説明】
【００５２】
１    熱電変換デバイス
１ａ  伝熱面
１ｂ  伝熱面
２    第１の熱交換器
４    第２の熱交換器
５    断熱箱体
５ａ  内箱
５ｂ  外箱
５ｃ  発泡断熱材
６    貯蔵空間
７    第１の送風装置
８    第２の送風装置
９    吐出口
１０  吸い込み口
１２  凹面部
１３  凸形状突起
１４  循環風路
１５  真空断熱材
１６  制御部
【図１】
2006105508.tif 000003
【図２】
2006105508.tif 000004
【図３】
2006105508.tif 000005
【図４】
2006105508.tif 000006